(57)【要約】      （修正有）【課題】適度な強度を有しつつ、患部から剥がす際に視認しやすい切断部（破断誘導部）が形成されており、切断線を利用して簡単適切に剥がすことが可能なパッド付き救急絆創膏を提供する。【解決手段】パッド付き救急絆創膏１は、粘着テープ２にパッド３が取り付けられ、粘着テープのうち、パッドを挟んだ両側に、パッドから離れすぎず、かつパッドの極近傍を避けて、患部から剥がす際にパッドの端を摘み上げることにより破断可能な破断誘導領域４を形成したものであって、粘着テープが伸縮可能であり、破断誘導領域は、カット部４０と非カット部４１とが交互に並んで構成されるとともに、破断誘導領域の両側にある非破断領域７よりも大きい所定の伸長比率を有し、粘着テープを患部に貼りつける際には、カット部が拡張するとともに非カット部が伸長して破断誘導領域の視認性が向上し、所定の伸長比率を超えて引っ張られると非カット部が裂けて破断する。【選択図】図１
2016063856.tif 000002
【特許請求の範囲】
【請求項１】
粘着テープにパッドが取り付けられ、粘着テープのうち、パッドを挟んだ両側に、パッドから離れすぎず、かつパッドの極近傍を避けて、患部から剥がす際にパッドの端を摘み上げることにより破断可能な破断誘導領域を形成したパッド付き救急絆創膏であって、
粘着テープが伸縮可能であり、
前記破断誘導領域は、カット部と非カット部とが交互に並んで構成されるとともに、前記破断誘導領域の両側にある非破断領域よりも大きい所定の伸長比率を有し、粘着テープを患部に貼りつける際には、前記カット部が拡張するとともに非カット部が伸長して前記破断誘導領域の視認性が向上し、前記所定の伸長比率を超えて引っ張られると非カット部が裂けて破断するように構成されていることを特徴とするパッド付き救急絆創膏。
【請求項２】
前記非破断領域のうち、パッドが取り付けられていない部分の伸長比率が２．０以上である請求項１記載のパッド付き救急絆創膏。
【請求項３】
前記カット部の長さが０．１５〜０．２５ｍｍであるとともに、前記非カット部の長さが０．１１〜０．１９ｍｍである請求項１又は２記載のパッド付き救急絆創膏。
【請求項４】
前記粘着テープのパッドと反対側の面に、複数の前記カット部の少なくとも一部を囲む着色領域が前記破断誘導領域に沿って形成されている請求項１〜３の何れかに記載のパッド付き救急絆創膏。
【請求項５】
前記粘着テープがポリオレフィンフィルムである請求項１〜４の何れかに記載のパッド付き救急絆創膏。
【発明の詳細な説明】
【技術分野】
【０００１】
本発明は、好適に利用するための適度な強度を有しつつ、患部から簡単適切に剥がすことができるパッド付き救急絆創膏に関する。
【背景技術】
【０００２】
従来のパッド付き救急絆創膏は、貼り替えや使用後に皮膚から剥がす際、粘着テープの粘着力が強いため、剥がすことが困難となる場合があった。また、長時間貼り続けておくと粘着性が増してさらに剥がし難くなって、特に指に巻いた時などには粘着テープが重合して一層剥がしにくくなるという不都合があった。
【０００３】
このような課題を解決すべく本発明者は、特許文献１において、粘着テープのうち、パッドから離れすぎず、かつパッドの極近傍を避けて、パッドの近傍両側に、患部から剥がす時にパッドの端を摘み上げて横に引っ張ることにより切断可能な２本の切断線を設けた剥がし易い救急絆創膏を提案した。
【０００４】
これによれば、救急絆創膏を貼り替えたり剥がしたりするときに、粘着テープを端から剥がそうとしたり、引っ張ったりする必要がなく、傷口を傷めたり皮膚を引っ張ることもなく痛みも少なく剥がすことができるので、幼い子供の傷等の手当には最適で、何度でも貼り替えてあげられるため患部を清潔に保つことができるという有用性を発揮することができる。
【先行技術文献】
【特許文献】
【０００５】
【特許文献１】特許第４０３８４８６号
【発明の概要】
【発明が解決しようとする課題】
【０００６】
ところで、前記切断線は複数のカット部が所定の間隔を空けて一列に並んで構成されるものであるが、粘着テープの材質等によっては、皮膚から剥がそうとする際に切断部を視認しにくく、切断線が形成された救急絆創膏であることに気が付きにくい場合がある。その場合、粘着テープを端から剥がしてしまい、結果として切断線が設けられていない通常の救急絆創膏と同様の使い方をすることになる。
【０００７】
一方、例えばカット部の長さを長くし、かつカット部間の間隔を狭くすることで、切断線を目立ちやすく（視認しやすく）して、上述のような切断線に気が付きにくい問題に対処することが考えられる。しかしながら、このように目立ちやすい切断線は、皮膚に貼り付ける際などに粘着テープを引っ張ったり、粘着テープを貼り付けた状態で患部近傍を動かしたりすることで簡単に切断され、救急絆創膏としての適切な使用が妨げられるおそれがある。
【０００８】
このように、上記特許文献に記載のパッド付き救急絆創膏は、切断部の視認のしやすさと、粘着テープの強度との関係で改善の余地がある。
【０００９】
本発明は、このような課題を有効に解決することを目的としており、救急絆創膏としての適切な使用を可能にする適度な強度を有しつつ、患部から剥がす際に視認しやすい切断部（破断誘導部）が形成されており、切断線を利用して簡単適切に剥がすことが可能なパッド付き救急絆創膏を提供することを目的とする。
【課題を解決するための手段】
【００１０】
本発明は以上のような問題点を鑑み、次のような手段を講じたものである。
【００１１】
すなわち、本発明のパッド付き救急絆創膏は、粘着テープにパッドが取り付けられ、粘着テープのうち、パッドを挟んだ両側に、パッドから離れすぎず、かつパッドの極近傍を避けて、患部から剥がす際にパッドの端を摘み上げることにより破断可能な破断誘導領域を形成したものであって、粘着テープが伸縮可能であり、前記破断誘導領域は、カット部と非カット部とが交互に並んで構成されるとともに、前記破断誘導領域の両側にある非破断領域よりも大きい所定の伸長比率を有し、粘着テープを患部に貼りつける際には、前記カット部が拡張するとともに非カット部が伸長して前記破断誘導領域の視認性が向上し、前記所定の伸長比率を超えて引っ張られると非カット部が裂けて破断するように構成されていることを特徴とする。
【００１２】
このような構成であることで、患部にパッド付き救急絆創膏を貼り付ける際、伸縮可能な粘着テープが引っ張られることにより、カット部が拡張するので、予め目立つ破断誘導領域が形成されたものよりも破断誘導領域で破断されにくく、粘着テープを皮膚に適切に貼り付けることができるとともに、粘着テープを貼り付けた状態で患部近傍を自由に動かすことができる。また、破断誘導領域が非破断領域よりも大きい所定の伸長比率を有しており、粘着テープが引っ張られると、カット部が拡張するとともに非カット部が非破断領域よりも伸長して破断誘導領域の視認性が向上するので、指などに貼り付ける際には、粘着テープの端部を破断誘導領域に掛かりにくく調整することもでき、患部から剥がす際には破断誘導領域を利用してパッドを適切に患部から取り除いて、傷口を痛めることがない。したがって、患部への適切な貼付や貼付した状態で患部近傍を自由に動かすことを可能にする程度の強度を有するとともに、患部に貼り付ける際や患部から剥がす際に破断誘導領域を視認しやすく、破断誘導領域を利用して簡単適切に剥がすことができる。
【００１３】
具体的な構成としては、前記非破断領域のうち、パッドが取り付けられていない部分の伸長比率が２．０以上であることが好ましい。また、前記カット部の長さが０．１５〜０．２５ｍｍであるとともに、前記非カット部の長さが０．１１〜０．１９ｍｍであることが好ましい。
【００１４】
特に、破断誘導領域を一層容易に認識できるようにするためには、前記粘着テープのパッドと反対側の面に、複数の前記カット部の少なくとも一部を囲む着色領域が前記破断誘導領域に沿って形成されている構成とすることが好適である。
【００１５】
とりわけ、粘着テープへの着色を適切に行うためには、前記粘着テープがポリオレフィンフィルムであることが好適である。
【発明の効果】
【００１６】
以上、説明した本発明によれば、粘着テープを患部に貼りつける際に破断誘導領域の視認性が向上することから、患部への適切な貼付や貼付した状態で患部近傍を自由に動かすことを可能にする程度の強度を有するとともに、患部から剥がす際に破断誘導領域を視認しやすく、破断誘導領域を利用して簡単適切に剥がすことができる。
【図面の簡単な説明】
【００１７】
【図１】本発明の一実施形態に係るパッド付き救急絆創膏を模式的に示す平面図。
【図２】同パッド付き救急絆創膏を引き伸ばした状態で模式的に示す平面図。
【図３】同パッド付き救急絆創膏を示す平面図及び底面図。
【図４】同パッド付き救急絆創膏を示す正面図、右側面図及び左側面図。
【図５】図３に示すパッド付き救急絆創膏の断面を示す断面図。
【図６】同パッド付き救急絆創膏の使用方法を説明するための斜視図。
【図７】同パッド付き救急絆創膏の使用方法を説明するための斜視図。
【図８】同パッド付き救急絆創膏の変形例を示す図。
【発明を実施するための形態】
【００１８】
以下、本発明の第１実施形態を、図面を参照して説明する。
【００１９】
図１は、本発明の一実施形態に係るパッド付き救急絆創膏１を模式的に示す平面図である。パッド付き救急絆創膏１を構成する粘着テープ２は、四隅が面取りされた略長方形状であり、この粘着テープ２の中央部に長方形状のパッド３が位置している。
【００２０】
そして、粘着テープ２において、パッド３を挟んだ両側に、パッド３から離れすぎない程度に近傍であり、かつパッド３の極近傍を避けて、複数のカット部４０と非カット部４１とが交互に一列で並んで構成された破断誘導領域４がそれぞれ設けられている。この破断誘導領域４は、例えば患部から剥がす際にパッド３の端を摘み上げて横に引っ張る、またはねじること等によって破断可能なものである。
【００２１】
ここに言うパッド３から離れすぎない程度の近傍とは、パッド３から離れすぎると粘着しろ２ｘ，２ｙのうち特にパッド３と破断誘導領域４との間の領域における粘着状態が高くなって剥がれにくくなり、これを回避する程度に近傍であることを意味する。このような近傍位置に破断誘導領域４を設けることで、粘着テープ２を破断誘導領域４で容易に切断してパッド３との間を分離させることができる。また、極近傍とは、パッド３にほぼ隣接した部位をいう。パッド３の極近傍では皮膚に粘着しないか或いは粘着状態が極めて低い状態となるため、このような位置に破断誘導領域４を設けると粘着テープ２の貼り方や使用者の動作、関節など使用場所によって使用中に容易に破れたり、カット部４０を介してパッド３と患部との間に水が入るおそれがあり、これらを回避する程度にパッド３との距離を保つことを意味する。具体的に、未使用時におけるパッド３から破断誘導部４までの距離ｔ７は１〜３ｍｍ程度である。
【００２２】
粘着テープ２は、例えばポリオレフィンフィルムで構成されたものであり、未使用時において、図１に示す破断誘導領域４に平行な短辺方向の長さｔ２が１９ｍｍ程度に設定され、破断誘導領域４に直交する長辺方向の長さｔ１が７０〜８０ｍｍ程度に設定される。また、粘着テープ２は、伸縮可能であり、図２に示すように特に長辺方向へ大きく引き伸ばすことができるとともに、粘着テープ２の一端部２ｄ側、他端部２ｃ側および２つの破断誘導領域４，４の間にそれぞれ非破断領域７が形成されている。すなわち、粘着テープ２は、破断誘導領域４と非破断領域７とで構成される。これら３つの非破断領域７のうち、パッド３が取り付けられていない非破断領域７は、粘着テープ２の未使用時（未伸長時）における一端部２ｄ（或いは他端部２ｃ）から最寄りの破断誘導領域４までの長さｔ１´に対する、粘着テープ２の伸長時における一端部２ｄ（或いは他端部２ｃ）から最寄りの破断誘導領域４までの長さｔ１´´の割合である伸長比率（ｔ１´´／ｔ１´）が１．５以上、好ましくは１．８以上、さらに好ましくは２．０以上（具体的には２．０〜３．０程度）に構成されている。なお、３つの非破断領域７のうち、中央に位置する非破断領域７は、伸縮しないパッド３が貼り付けられているので、粘着テープ２を引っ張っても伸びない。
【００２３】
このような粘着テープ２は、その内面２ａ（図５（ｂ）等参照）のほぼ全体に例えばアクリル系等の接着剤が付着しており、内面２ａ中央部にパッド３が固定され、図１に示すようにパッド３の周囲に粘着しろ２ｘ，２ｙが存在している。パッド３の長辺方向に沿って存在する粘着しろ２ｙは、パッド３の短辺方向に沿って存在する粘着しろ２ｘよりも広く、粘着しろ２ｘ，２ｙに付着している前記接着剤を介して粘着テープ２と同一形状かつ同一の大きさに調整された処理紙５が貼り付けられている。
【００２４】
処理紙５は、例えばシリコーン製であり、粘着テープ２から容易に剥離可能で、図３（ｂ），図４，図５に示すように、粘着テープ２の長辺方向における一端部２ｄから長辺方向中央までを覆う第１処理紙５ａと、粘着テープ２の長辺方向における他端部２ｃから第１処理紙５ａの一部を覆う第２処理紙５ｂとで構成される。第１処理紙５ａの第２処理紙５ｂ側の端部には、第２処理紙５ｂ側に折り曲げられた折曲部５ａ１（図５（ｂ）参照）が形成されており、折曲部５ａ１を摘んで引っ張ることで第１処理紙５ａを粘着テープ２から剥がしやすくしている。
【００２５】
図１に示す破断誘導領域４は、例えばマイクロミシンを用いて形成されるものであり、未使用時において、カット部４０の長さ（カット部４０の破断誘導領域４と平行な方向の長さ）ｔ５が０．１５〜０．２５ｍｍ程度（より好ましくは０．２ｍｍ程度）、隣接するカット部４０，４０同士の間にある非カット部４１の長さｔ６が０．１１〜０．１９ｍｍ程度（より好ましくは０．１５ｍｍ程度）となるよう、粘着テープ２の肉厚をミシン目状に切断して形成してある。すなわち、カット部４０の長さｔ５に対する非カット部４１の長さｔ６の比率（ｔ６／ｔ５）が、０．４４〜１．２７に設定されている。そのため、未使用時の破断誘導領域４は、視認できない、あるいは粘着テープ２においてかすかに視認可能な単なる薄い線にしか見えないものである。
【００２６】
このようにマイクロミシンを用いて形成されるカット部４０は、長方形に形成されており、粘着テープ２を長辺方向に引っ張ると、図２に示すようにカット部４０が破断誘導領域４と直交する方向に略長方形に開口して拡張し、未使用時の開口幅ｗ１（図１参照）よりも開口幅ｗ２が大きくなるとともに、隣接するカット部４０，４０同士の間隔を狭めつつ、非カット部４１が伸長する。カット部４０による間隙が複数箇所に設けられている破断誘導領域４は、非破断領域７よりも大きい所定の伸長比率（未使用時の破断誘導領域４の長さ（開口幅ｗ１）に対する伸長時の破断誘導領域４の長さ（開口幅ｗ２）の割合）を有しており、粘着テープ２を引っ張ると、非破断領域７よりも伸びやすく、伸長時の非カット部４１の長さｔ６´は０．１ｍｍ程度となる。これにより、粘着テープ２において、破断誘導領域４が非破断領域７よりも薄くなり、複数のカット部４０が全体として一定幅の帯状になって、破断誘導領域４だけ色が抜けた半透明の領域となることから、未使用時よりも破断誘導領域４の視認性が向上する。
【００２７】
なお、カット部４０が略長方形であり、伸長時の非カット部４１の形状も略長方形になることから、非カット部４１が破断しにくく、粘着テープ２を皮膚に貼り付ける際などに破断誘導領域４で破断することを防止できる。
【００２８】
図１，図３（ａ）に示すように、粘着テープ２のパッド３と反対側の面である外面２ｂには、複数のカット部４０（図１参照）の一部を囲む着色領域６が破断誘導領域４に沿って形成されている。着色領域６は、本実施形態では犬のエサとして一般的な骨のイラストとして描かれており、着色領域６内はそれ以外の部位と異なる色に着色されている。なお、本実施形態では、複数のカット部４０のうち、粘着テープ２の短辺方向両端部にあるカット部４０は着色領域６に囲まれていない。
【００２９】
図５（ｂ）に示すように、パッド３は、粘着テープ２に取り付けられた不織布３１と、不織布３１に積層されて患部に不織布３１が直接接触することを防止するネット３２との２層構造である。不織布３１は、例えばビスコースレーヨン、ポリプロピレン及びポリエチレンを含んで構成されたものである。ネット３２は、ポリエチレン、エチレン酢酸ビニルコポリマー及びオクテンエチレンコポリマーを含んで構成されたものである。
【００３０】
パッド３は、図１に示す長辺方向の長さｔ３が２３〜２４ｍｍ程度に設定され、このようなパッド３を挟んだ両破断誘導領域４，４間の距離ｔ４は２７〜３０ｍｍ程度に設定されている。
【００３１】
上記のようなパッド付き救急絆創膏１は、粘着テープ２を引き伸ばしつつ患部に貼り付けることができ、例えば図６（ａ）に示すように指に貼り付けた状態でカット部４０が略長方形に拡張し、破断誘導領域４の視認性が向上する。その後、救急絆創膏１を剥がす際には、図６（ｂ）に示すようにパッド３の端を非カット部４１の伸長限度、すなわち破断誘導領域４の上記所定の伸長比率を超えるまで摘み上げることで、一方または両方の破断誘導領域４で非カット部４１が裂けて粘着テープ２が破断され（一方の破断誘導領域４で破断された状態は図７（ａ）参照）、パッド３を患部から無理なく剥がすことができる。そして、図７（ｂ）のように粘着テープ２の残りの部分も指から簡単に剥がすことができる。このように一方の破断誘導領域４で破断する形態は、例えば他方の破断誘導領域４上に粘着テープ２の端部２ｃ，２ｄ（図１等参照）を貼り付けた場合に特に有効なものであり、どちらの破断誘導領域４，４も塞がれていない場合には、同時もしくは個別に破断誘導領域４を破断させて粘着シート２を皮膚から剥がすようにしてもよい。
【００３２】
なお、従来、例えば実願昭５３−１４０２０７には患部への貼り付け時に粘着テープの一部をミシン目により切り離し、貼り付ける箇所に合わせて粘着テープの長辺方向の長さを調整可能なものがあるが、これは、上述のように皮膚等から剥がすときに粘着テープ２を破断させる本発明とは全く観点が異なるものである。
【００３３】
以上のように、本実施形態のパッド付き救急絆創膏１は、粘着テープ２にパッド３が取り付けられ、粘着テープ２のうち、パッド３を挟んだ両側に、パッド３から離れすぎず、かつパッド３の極近傍を避けて、患部から剥がす際にパッド３の端を摘み上げることにより破断可能な破断誘導領域４を形成したものであって、粘着テープ２が伸縮可能であり、破断誘導領域４は、カット部４０と非カット部４１とが交互に並んで構成されるとともに、破断誘導領域４の両側にある非破断領域７よりも大きい所定の伸長比率を有し、粘着テープ２を患部に貼りつける際には、カット部４０が拡張するとともに非カット部４１が伸長して破断誘導領域４の視認性が向上し、破断誘導領域４の所定の伸長比率を超えて引っ張られると非カット部４１が裂けて破断するように構成されている。
【００３４】
このような構成であることで、患部にパッド付き救急絆創膏１を貼り付ける際、伸縮可能な粘着テープ２が引っ張られることにより、カット部４０が拡張するので、予め目立つ破断誘導領域が形成されたもの（例えば粘着テープ２の材質にウレタンを使用したもの）よりも破断誘導領域４で切断されにくく、粘着テープ２を皮膚に適切に貼り付けることができるとともに、粘着テープ２を貼り付けた状態で患部近傍を自由に動かすことができる。
【００３５】
また、破断誘導領域４が非破断領域７よりも大きい所定の伸長比率を有しており、粘着テープ２が引っ張られると、カット部４０が拡張するとともに非カット部４１が非破断領域７よりも伸長して破断誘導領域４の視認性が向上するので、指などに貼り付ける際には、粘着テープ２の端部を破断誘導領域４に掛かりにくく調整することもでき、患部から剥がす際には破断誘導領域４を利用してパッド３を適切に患部から取り除いて、傷口を痛めることがない。
【００３６】
したがって、本発明のパッド付き救急絆創膏１は、患部への適切な貼付や貼付した状態で患部近傍を自由に動かすことを可能にする程度の強度を有するとともに、患部に貼り付ける際や患部から剥がす際に破断誘導領域４を視認しやすく、破断誘導領域４を利用して簡単適切に剥がすことができる。
【００３７】
より具体的な構成としては、非破断領域７のうち、パッド３が取り付けられていない部分の伸長比率が２．０以上である。ここで、粘着テープ２の伸長比率が小さすぎると、皮膚へ貼り付ける際や粘着テープ２を貼り付けた状態で患部近傍を動かした際、非カット部４１が十分に伸長せずに粘着テープ２が破断誘導領域４で破断しやすくなり、救急絆創膏１としての適切な使用が難しくなるおそれがある。しかしながら、非破断領域７のうちパッド３が取り付けられていない部分の伸長比率が２．０以上であることで、非破断領域７よりも伸長比率の大きい破断誘導領域４を含む粘着テープ２全体が十分な伸長比率を有するものになることから、粘着テープ２を指などの関節に貼り付けて患部近傍を動かした際にも破断誘導領域４で破断することなく、救急絆創膏１として適切に使用することができる。
【００３８】
また、カット部４０の長さｔ５（図１参照）が０．１５〜０．２５ｍｍであるとともに、非カット部４１の長さｔ６が０．１１〜０．１９ｍｍである。カット部４０の長さｔ５が長く（例えば０．３ｍｍ程度）、非カット部４１の長さｔ６が短いと、粘着テープ２を皮膚へ貼り付ける際や貼り付けた状態で患部近傍を動かした際に粘着テープ２が破断誘導領域４で破断しやすい一方、カット部４０の長さｔ５が短く、非カット部４１の長さｔ６が長いと、粘着テープ２を長辺方向に引っ張ってもカット部４０が拡張しにくく、破断誘導領域４を視認しずらくなるおそれがある。カット部４０の長さｔ５が０．１５〜０．２５ｍｍであり、非カット部４１の長さｔ６が０．１１〜０．１９ｍｍであることで、救急絆創膏１として一層適切に使用することができる。
【００３９】
特に、粘着テープ２のパッド３と反対側の面である外面２ｂに、複数のカット部４０の少なくとも一部を囲む着色領域６が破断誘導領域４に沿って形成されていることから、破断誘導領域４が形成された救急絆創膏１であることを容易かつ確実に認識することができる。
【００４０】
とりわけ、粘着テープ２がポリオレフィンフィルムであることから、非破断領域７のうちパッド３が取り付けられていない部分の伸長比率を２．０以上に設定することができるとともに、色（インク）が定着しやすく、着色領域６の形成を含めて粘着テープ２への着色が容易となる。例えば粘着テープ２の材質にウレタンを使用した場合、粘着テープ２の外面２ｂに色が定着しにくく、着色が困難となるので、着色領域６を適切に形成できないおそれがある。
【００４１】
以上、本発明の一実施形態について説明したが、各部の具体的な構成は、上述した実施形態のみに限定されるものではない。
【００４２】
例えば、本実施形態では着色領域６として図１等に示す骨のイラストが記載されているが、そもそも着色領域６が設けられない構成であってもよい。また、着色領域６としては、骨のイラストに限定されず、破断誘導領域４を認識しやすくすることができればどのようなものでもよく、たとえば、図８（ａ）に示すように魚のイラストで形成された着色領域１６であってもよく、また、ハートのイラスト２６ａ（図８（ｂ）参照）やドットのイラスト、スペードのイラストなどが破断誘導領域４に沿って連続的に並べられたような着色領域２６であってもよい。さらに、着色領域６，１６，２６内は着色されず、その輪郭のみが描かれたものであってもよい。このような着色領域１６，２６が形成されたパッド付き救急絆創膏１０，２０は、底面、正面、右側面、左側面及び断面形状が、救急絆創膏１と同様の形状、具体的には図３（ｂ）、図４，５に示すようになる。なお、背面図は、正面図と対称に表れるので省略している。
【００４３】
さらに、本実施形態において、破断誘導領域４（カット部４０）はマイクロミシンで形成されるが、これ以外のもので形成されてもよい。
【００４４】
その他の構成も、本発明の趣旨を逸脱しない範囲で種々変形が可能である。
【符号の説明】
【００４５】
１・・・パッド付き救急絆創膏
２・・・粘着テープ
２ｂ・・・外面（面）
３・・・パッド
４・・・破断誘導領域
６・・・着色領域
７・・・非破断領域
４０・・・カット部
４１・・・非カット部
ｔ５・・・カット部の長さ
ｔ６・・・非カット部の長さ
【図１】
2016063856.tif 000003
【図２】
2016063856.tif 000004
【図３】
2016063856.tif 000005
【図４】
2016063856.tif 000006
【図５】
2016063856.tif 000007
【図６】
2016063856.tif 000008
【図７】
2016063856.tif 000009
【図８】
2016063856.tif 000010